【手続補正書】
【提出日】平成16年2月20日(2004.2.20)
【手続補正１】
【補正対象書類名】明細書
【補正対象項目名】発明の名称
【補正方法】変更
【補正の内容】
【発明の名称】機器情報管理装置及び機器情報管理方法
【手続補正２】
【補正対象書類名】明細書
【補正対象項目名】特許請求の範囲
【補正方法】変更
【補正の内容】
【特許請求の範囲】
【請求項１】
機器の動作状況を検出するセンサと、前記センサにより検出された信号を無線信号として送信するセンサ情報送信部と、前記センサ情報送信部から送信された無線信号を受信する電波受信部と、前記電波受信部で受信した信号を解析し機器の動作状況を取り込む受信電波解析部と、前記受信電波解析部で得られた機器の動作状況にしたがってホームページを変更するホームページ変更部と、前記ホームページを電話回線からのアクセスに対して公開するためのＷＷＷサーバーを備えたことを特徴とする機器情報管理装置。
【請求項２】
光量と光量の規則的な変化を検出する光量検出部と、前記光量検出部での検出結果から機器の動作状況を判定する判定処理部と、前記判定処理部により検出された信号を無線信号として送信するセンサ情報送信部と、前記センサ情報送信部から送信された無線信号を受信する電波受信部と、前記電波受信部で受信した信号を解析し機器の動作状況を取り込む受信電波解析部と、前記受信電波解析部で得られた機器の動作状況にしたがってホームページ内のテキスト情報、画像情報、リンク情報の少なくともひとつを変更するホームページ変更部と、前記ホームページを電話回線からのアクセスに対して公開するためのＷＷＷサーバーを備えたことを特徴とする機器情報管理装置。
【請求項３】
家庭内の機器の動作状況を検出するセンサと、前記センサにより検出された信号を無線信号として送信するセンサ情報送信部と、前記センサ情報送信部から送信された無線信号を受信する電波受信部と、前記電波受信部で受信した信号を解析し機器の動作状況を取り込む受信電波解析部と、前記受信電波解析部で得られた機器の動作状況を時間と関連づけた時系列データとして蓄積するデータ蓄積部と、前記データ蓄積部に格納されている機器の動作状況の時系列データから対象とする家庭の生活パターンを推定する生活情報判定部と、家庭生活に関連した情報を持つインターネット上のホームページに関してカテゴリとアドレスからなるインデックス情報を記憶しているホームページデータベースと、生活パターンから生活アドバイスを生成するための推論規則を格納している推論
規則データベースと、前記生活情報判定部で判定された生活パターンから推論規則データベース中の推論規則を用いて推論を行い、推論結果にしたがってホームページデータベースを検索する生活アドバイス生成部と、前記生活アドバイス生成部の検索したホームページのアドレス情報を用いて生活アドバイスを行うホームページを生成するホームページ生成部と、前記ホームページを電話回線からのアクセスに対して公開するためのＷＷＷサーバーを備えたことを特徴とする機器情報管理装置。
【請求項４】
機器の動作状況を検出するセンサと、前記センサにより検出された信号を無線信号として送信するセンサ情報送信部と、前記センサ情報送信部から送信された無線信号を受信する電波受信部と、前記電波受信部で受信された信号を解析し機器の動作状況を取り込む受信電波解析部と、前記受信電波解析部で得られた機器の動作状況を時間と関連づけた時系列データとして蓄積するデータ蓄積部と、前記データ蓄積部に格納されている機器の動作状況の時系列データから総使用時間や使用頻度を求め機器の状態を判定する機器状態判定部と、機器メンテナンスや新商品などの情報が記載されているインターネット上のホームページに関してカテゴリとアドレスからなるインデックス情報を記憶しているホームページデータベースと、センサで検出された機器の状態からアドバイスを生成するための推論規則を格納している推論規則データベースと、前記機器状態判定部で判定された機器の状態から推論規則データベース中の推論規則を用いて推論を行い、推論結果にしたがってホームページデータベースを検索する機器アドバイス生成部と、前記機器アドバイス生成部の検索したホームページのアドレス情報を用いて機器アドバイスを行うホームページを生成するホームページ生成部と、前記ホームページを電話回線からのアクセスに対して公開するためのＷＷＷサーバーを備えたことを特徴とする機器情報管理装置。
【請求項５】
機器の動作状況を検出するセンサにより検出された信号を無線信号として送信するセンサ情報送信部と、前記センサ情報送信部から送信された無線信号を受信する受信部と、前記受信部で受信した信号を解析し機器の動作状況を取り込む解析部と、前記解析部で得られた機器の動作状況にしたがってホームページを変更するホームページ変更部と、前記ホームページを外部からのアクセスに対して公開するためのサーバーを備えたことを特徴とする機器情報管理装置。
【請求項６】
機器の動作状況を検出するセンサにより検出された信号を受信する受信部と、前記受信部で受信した信号を解析し機器の動作状況を取り込む解析部と、前記解析部で得られた機器の動作状況にしたがってホームページを変更するホームページ変更部と、前記ホームページを外部からのアクセスに対して公開するためのサーバーを備えたことを特徴とする機器情報管理装置。
【請求項７】
機器の動作状況を検出するセンサにより検出された信号を受信する受信部と、前記受信部で受信した信号を解析し機器の動作状況を取り込む解析部とを備え、前記解析部で得られた機器の動作状況にしたがって前記機器情報をホームページに表示することを特徴とする機器情報管理装置。
【請求項８】
機器の動作状況を検出するセンサにより検出された信号を受信する受信し、前記受信した信号を解析部にて解析し機器の動作状況を取り込み、前記取り込んだ機器の動作状況に応じてホームページ上で機器状態のアニメーションが変化することを特徴とする機器情報管理方法。
【請求項９】
機器の動作状況の検出は、ドアや門の開閉の検出、圧力による人の体重検出、家電機器の動作検出を含む請求項５から７のいずれかに記載の機器情報管理装置。
【請求項１０】
機器の動作状況を検出するセンサにより検出された信号を受信する受信部と、前記受信部で受信した信号を解析し機器の動作状況を取り込む解析部と、前記解析部で得られた機器の動作状況を時系列データとして蓄積するデータ蓄積部と、前記データ蓄積部に格納されている機器の動作状況の時系列データから生活パターンを推定する生活情報判定部とを備えた機器情報管理装置。
【請求項１１】
家庭内の機器の動作状況を検出するセンサにより検出された信号を解析して得られた機器の動作状況を時系列データとして蓄積するデータ蓄積部から取得した時系列データ情報に基づいて生活パターンを推定する生活情報判定部を備えた機器情報管
理装置。
【請求項１２】
家庭内の機器の動作状況を検出するセンサにより検出された信号を解析して得られた機器の動作状況を時系列データとして蓄積するデータ蓄積部から取得した時系列データ情報に基づいて生活パターンを推定する生活情報判定部と、生活に関連した情報を持つインターネット上のホームページデータベースから前記生活パターンに基づく生活アドバイスを取得する生活アドバイス生成部とを備えた機器情報管理装置。
【請求項１３】
生活アドバイス生成部は、生活アドバイスを取得するための推論規則を格納している推論規則データベースに基づいて生活アドバイスを取得する請求項１２記載の機器情報管理装置。
【請求項１４】
機器の動作状況を検出するセンサにより検出された信号を受信する受信部と、前記受信部で受信された信号を解析し機器の動作状況を取り込む解析部と、前記解析部で得られた機器の動作状況の時系列データを蓄積するデータ蓄積部と、前記データ蓄積部に格納されている機器の動作状況の時系列データから機器の状態を判定する機器状態判定部と、機器メンテナンスや新商品の情報を有するインターネット上のホームページデータベースから前記機器状態判定部の機器状態に基づいて機器アドバイスを取得する機器アドバイス生成部を有する機器情報管理装置。
【請求項１５】
機器アドバイス生成部は、機器状態からアドバイスを生成するための推論規則を格納している推論規則データベースに基づいて機器アドバイスを取得する請求項１４記載の機器情報管理装置。
【手続補正３】
【補正対象書類名】明細書
【補正対象項目名】００１０
【補正方法】変更
【補正の内容】
【００１０】
【課題を解決するための手段】
本発明は、機器の動作状況を検出するセンサにより検出された信号を受信する受信部と、前記受信部で受信した信号を解析し機器の動作状況を取り込む解析部と、前記解析部で得られた機器の動作状況にしたがってホームページを変更するホームページ変更部と、前記ホームページを外部からのアクセスに対して公開するためのサーバーを備えたものである。


【手続補正４】
【補正対象書類名】明細書
【補正対象項目名】００４８
【補正方法】変更
【補正の内容】
【００４８】
また、本実施例は、生活アドバイスを中心に説明したが、図８のように、機器状況判定部４０、機器アドバイス生成部４１を生活状況判定部３１、生活アドバイス生成部３２の代わりに置くことにより、機器のメンテナンスや買い換え情報などの提案をホームページとしてユーザに提供することもできる。この場合、機器状況判定部４０では、機器の動作時間の総合計や、使用頻度などの状態から、機器の老朽化や故障を推定する。機器アドバイス生成部４１は、機器状態判定部４０で判定された状態を基に、推論規則データベース３４’中の推論規則とホームページデータベース３３’を用いてメンテナンスや買い換え情報などの情報の入ったホームページを検索する。ホームページ生成部は上記実施例と同様に、検索されたホームページをリンク情報とした新しいホームページを作成する。これにより、ユーザは家庭内の機器や設備に関して、アドバイスを得ることができる。
以上説明したように、本実施形態では、家庭内の機器の動作状況をインターネット上のホームページでグラフィク表示やアニメーション表示を用いてわかりやすく閲覧することができる。家庭内の機器の動作状況は、センサにより検出して無線信号で家庭内サーバに送付するため、ネットワーク接続の機能を持たない機器や設備に対しても無線ネットワークを構築可能である。また、機器の動作状況から、生活パターンを判断し、それに応じたコンテンツを含むホームページを自動的にリンクすることにより、生活アドバイスに関する情報を持つホームページを自動的に作成できる。
【手続補正５】
【補正対象書類名】明細書
【補正対象項目名】００４９
【補正方法】変更
【補正の内容】
【００４９】
【発明の効果】
このように、本発明は、家庭内の機器の動作状況をインターネット上のホームページでグラフィク表示やアニメーション表示を用いてわかりやすく閲覧することができる。また、機器の動作状況から、生活パターンを判断し、生活アドバイスに関する情報を持つホームページ情報を提供できる。